(57)【要約】【課題】フィルタを取り替えることなく、そのフィルタに付着した異物を適宜除去して透過能力を維持させることができる液圧発生装置を得る。【解決手段】フィルタ５に通した作動液体を昇圧するギヤポンプ２と、前記ギヤポンプ２により昇圧された作動液体を更に高圧に昇圧するための高圧ポンプ３を有し、前記ギヤポンプ２の吐出量が前記高圧ポンプ３の吐出量より多くなるようにするとともに、前記ギヤポンプ２と高圧ポンプ３との間にリリーフ弁８を接続した液圧発生装置において、前記リリーフ弁８の吹き出し側が前記フィルタ５と前記ギヤポンプの間に連通されている。【選択図】図４
2007178004.tif 000002
【特許請求の範囲】
【請求項１】
第１のフィルタを通し作動液体を昇圧するギヤポンプと、前記ギヤポンプにより昇圧された作動液体を更に高圧に昇圧するための高圧ポンプを有し、前記ギヤポンプの吐出量が前記高圧ポンプの吐出量より多くなるようにするとともに、前記ギヤポンプと高圧ポンプとの間にリリーフ弁を接続した液圧発生装置において、
前記リリーフ弁の吹き出し側が前記フィルタと前記ギヤポンプの間に連通されていることを特徴とする液圧発生装置。
【請求項２】
高圧ポンプの吐出側に、液圧継手を介して外部液圧発生装置が接続可能としてあることを特徴とする請求項１に記載の液圧発生装置。
【請求項３】
液圧発生装置の高圧ポンプの吐出側に第１の接続部材が接続され、低圧側よりフィルタを通し作動液体を昇圧する外部の液圧発生装置のポンプの吐出側には第２の接続部材が設けられ、前記第１の接続部材及び第２の接続部材は、それぞれケース内に設げられたシート部に対してばねにより圧接方向に付勢されているバルブを有し、上記第１及び第２の接続部材のケースを互いに液密的に接続可能とした液圧継手であり、
上記両接続部材の連結時においては両接続部材におけるバルブの弁粁が当接するとともに、第１の接続部材におけるバルブが閉じたままで、第２の接続部材におけるバルブがシート部から離れるように、第１の接続部材のばねが第２の接続部材のばねより強くされている液圧継手を用いたことを特徴とする請求項１に記載の液圧発生装置。
【請求項４】
液圧発生装置の高圧ポンプの吐出側に第１の接続部材が接続され、低圧側よりフィルタを通し作動液体を昇圧する外部の液圧発生装置のポンプの吐出側には第２の接続部材が設けられ、前記第１の接続部材及び第２の接続部材は、それぞれケース内に設けられたシート部に対してばねにより圧接方向に付勢されているバルブを有し、上記第１及び第２の接続部材のケースを互いに液密的に接続可能とした液圧継手であり、
上記両接続部材の連結時においては両接続部材におけるバルブの弁秤が当接するとともに、第１の接続部材におけるバルブが閉じたままで、第２の接続部材におけるバルブがシート部から離れるように、第１の接続部材のばねが第２の接続部材のばねより強くされており、かつ第１の接続部材にはバルブの開度規制部が設けられており、第１の接続部材のバルブが開方向に移動し上記開度規制部に当接したときには第２の接続部材のバルブも開状態に保持されている液圧継手を用いたことを特徴とする請求項１に記載の液圧発生装置。
【発明の詳細な説明】
【技術分野】
【０００１】
本発明は、電力用遮断器等に使用される液圧発生装置に関し、特にフィルタの異物を除去可能な液圧発生装置に関する。
【背景技術】
【０００２】
流体を用いる液圧発生装置は、様々な分野で利用されており、液圧を利用した機器において重要な装置の一つである。よって液圧発生装置が故障すると機器の動作ができなくなるため、外部から別の液圧発生装置を取り付けられるようになっているものも少なくない。
【０００３】
しかしながら、利用分野によって、液圧発生装置の利用方法やメンテナンス方法等が大きく異なり、故障時に容易に交換や、外部から液圧発生装置を取り付けられないものもある。
【０００４】
例えば、電力用ガス絶縁遮断器においては、駆動源に液圧操作装置を使用しているものがある。一般に、電力機器はその公共利用性から、容易に停止することができず、基本的には、６年や、１２年毎の定期点検時にしか、メンテナンスを行う機会がない。よって、液圧発生装置の性能向上による使用期間の延長や、故障時に、機器を停止することなく、外部の液圧発生装置を取付けられるものが望まれる。
【０００５】
図５は、従来の外部液圧発生装置を接続可能とした液圧発生装置の構成例を示す図であって、図５に示すように、液圧発生装置１は、ギヤポンプ２及び高圧ポンプ３により２段階に液体を加圧し、ギヤポンプ２の吐出を多くすることで高圧ポンプ３の吸込みを補助するするように構成されている。すなわち、ギヤポンプ２を回転させると、低圧液槽４からフィルタ５を介して作動液体を吸込み昇圧して吐出する。ギヤポンプ２により昇圧された作動液体は、高圧ポンプ３により更に高圧に昇圧されアクチュエータ６側に吐出されアキュムレータ７により蓄圧される。
【０００６】
ここで、ギヤポンプ２の吐出量は高圧ポンプ３の吐出量より多いため、ギヤポンプ２の回転時の吐出側にはリリーフ弁８が接続されている。そして、リリーフ弁８の吐出側は低圧液槽４に連通している。一方、アクチュエータ６側の高圧部から低圧液槽４に連通する流路９には戻り弁１０が設けられており、アクチュエータ６側の低圧部は低圧液槽４に連通している。また、高圧ポンプ３とアクチュエータ６間には、液圧継手の第１の接続部材１１が外部液圧発生装置１２における第２の接続部材１３と接続・固定可能に設けられている。
【０００７】
外部液圧発生装置１２は、液圧発生装置１が故障等により使用できなくなった場合に非常用として使用するものである。外部液圧発生装置１２は、高圧ポンプ１４を動作させると、低圧液槽４からフィルタ１５を介して作動液体を吸込み昇圧して、高圧ポンプ１４の吐出側に設けられている第２の接続部材１３側に吐出する。高圧ポンプ１４と第２の接続部材１３の間は二方向へ分岐し、一方にはリリーフ弁１６が設けられ、もう一方には戻り弁１７が設けられており、それぞれ低圧液槽４へ連通している。
【０００８】
図６は、上記液圧継手の一例を示す図であり、第１の接続部材１１のケース２０内にはバルブ２１が軸線方向に移動可能に設けられている。そのバルブ２１はばね２２によりシート部２３に対して圧接方向に付勢されており、常時においては上記バルブ２１は閉状態にあり、液体が上記第１の接続部材１１のケース２０から流出しないように構成されている。一方、第２の接続部材１３には第１の接続部材１１のケース２０を接続可能なケース２５を有しており、そのケース２５には上記第１の接続部材１１のケース２０の先端部を挿入固定するための凹部２６が設けられ、その凹部２６の内周部にパッキン２７が設けられている。
【０００９】
しかして、第１の接続部材１１におけるケース２０の先端部を第２の接続部材１３のケース２５内に挿入固定することにより、図６の（ｃ）に示すように、両接続部材が液密状態に接続される。この時点ではバルブ２１は閉状態に保持されているので、アクチュエータ６側の圧力が高圧・低圧に係わらず液圧継手の接続を行うことができる。そこで、外部液圧発生装置１２の高圧ポンプ１４を作動させると、高圧ポンプ１４とバルブ２１間が高圧となり、上記バルブ２１が開いてアクチュエータ６側へ作動液体が吐出される。また、外部液圧発生装置１２の戻り弁１７を開けると、バルブ２１は閉じ、アクチュエータ６側の圧力は維持したまま、高圧ポンプ１４とバルブ２１間の圧力は降下する。したがって、この状態で第１の接続部材１１と第２の接続部材１３は離脱可能である。
【００１０】
また、図７は他の流体継手を示す図であり、第１の接続部材１１ａのケース２０ａ内にはバルブ２１ａが軸線方向に移動可能に設けられている。そのバルブ２１ａはばね２２ａによりシート部２３ａに対して圧接方向に付勢されており、常時においては上記バルブ２１ａは閉状態にあり、液体が上記第１の接続部材１１ａのケース２０ａから流出しないように構成されている。
【００１１】
一方、第２の接続部材１３ａには第１の接続部材１１ａのケース２０ａを接続可能なケース２５ａを有しており、そのケース２５ａには上記第１の接続部材１１ａのケース２０ａの先端部を挿入固定するための凹部２６ａが設けられ、その凹部２６ａの内周部にパッキン２７ａが設けられている。さらに、上記ケース２５ａ内にもばね２８ａによりシート部２９ａに対して圧接方向に付勢されているバルブ３０ａが軸線方向に移動可能に設けられている。
【００１２】
しかして、第１の接続部材１１ａと第２の接続部材１３ａとを接続する場合、第１の接続部材１１ａの先端部を第２の接続部材１３ａの凹部２６ａ内に挿入すると、図７の（ｂ）に示すように、バルブ２１ａと３０ａの弁杆部が対抗して当接する。そこでさらに第１の接続部材１１ａの先端部を第２の接続部材１３ａの凹部内に挿入し接続固定状態とすると、（ｃ）に示すように、バルブ２１ａと３０ａがそれぞればね２２ａ、２８ａに抗して移動し、ケース２０ａ、２５ａに設けられたストッパ２４ａ、３１ａにそれぞれ当接し、ともに開いた状態となり、外部液圧発生装置１２が液圧発生装置１に接続された状態となる。
【００１３】
そこで、ギヤポンプ２の回転時には、ギヤポンプ２と高圧ポンプ３の吐出量の差からギヤポンプ２と高圧ポンプ３間の圧力が上昇し、ある一定の圧力に達するとリリーフ弁８が動作し、低圧液槽４へ作動液体を吹き出す。また、液圧発生装置の故障時等においては第１及び第２の接続部材を接続することにより外部液圧発生装置を上記液圧発生装置１に接続し外部液圧発生装置により加圧された液体を使用することができる。
【発明の開示】
【発明が解決しようとする課題】
【００１４】
ところが、上述の如き従来の液圧発生装置においては、フィルタ５は、ある一定以上の異物が付着すれば透過能力が低下するため、新品に交換する必要がある等の問題がある。
また、図６に示した液圧継手を使用し、その液圧継手を接続・固定した状態の場合には、外部液圧発生装置１２の高圧ポンプ１４を動作させると、高圧ポンプ１４とバルブ２１間が高圧になり、バルブ２１が開いてアクチュエータ６側へ作動液体を吐出する。
また、戻り弁１７を開くとバルブ２１がシート部２３に当接するため、アクチュエータ６側の圧力は維持したまま、第１の接続部材１１と高圧ポンプ１４間の圧力は降下する。
したがって、戻り弁１７を開いた状態で、第２の接続部材１３を第１の接続部材１１から離脱することは可能であるが、この場合には第２の接続部材１３から作動液体が流出する等の問題がある。
【００１５】
また、図７に示した液圧継手を使用し、液圧発生装置１に外部液圧発生装置１２を連結した場合には、外部液圧発生装置１２の高圧ポンプ１４を動作させると、バルブ２１ａとバルブ２９ａが共に開いているため、アクチュエータ６側へ作動液体を吐出する。
また、外部液圧発生装置１２の戻り弁１７を開くと、バルブ２１ａとバルブ２９ａが開いているためアクチュエータ６側の圧力も降下する。
したがって、戻り弁１７を開いた状態で第１の接続部材１１ａから第２の接続部材１３ａを離脱することは可能である。
すなわち、第１の接続部材１１ａから第２の接続部材１３ａを離脱しようとすると、図７（ｂ）のように両バルブ２１ａ、２９ａが閉じるため作動液体の流出はない。
しかし、アクチュエータ６側が高圧の場合には、第１の接続部材１１ａのバルブ２１ａは過大な力で閉じており、第２の接続部材１３ａのバルブ２９ａで押し開けることができないため、液圧継手の接続ができず、液圧発生装置１が低圧でなければ接続・固定ができない。
また、外部液圧発生装置１２の戻り弁１７を開くと、液圧発生装置１側の圧力も降下してしまう等の問題がある。
【００１６】
本発明はこのような点に鑑み、フィルタを取り替えることなく、そのフィルタに付着した異物を適宜除去して透過能力を維持させることができ、フィルタの使用期間を延長させることができるようにした液圧発生装置を得ることにある。
【課題を解決するための手段】
【００１７】
請求項１に係る発明は、第１のフィルタを通し作動液体を昇圧するギヤポンプと、前記ギヤポンプにより昇圧された作動液体を更に高圧に昇圧するための高圧ポンプを有し、前記ギヤポンプの吐出量が前記高圧ポンプの吐出量より多くなるようにするとともに、前記ギヤポンプと高圧ポンプとの間にリリーフ弁を接続した液圧発生装置において、前記リリーフ弁の吹き出し側が前記フィルタと前記ギヤポンプの間に連通されていることを特徴とする。
【００１８】
請求項２に係る発明は、請求項１に係る液圧発生装置において、高圧ポンプの吐出側に、液圧継手を介して外部液圧発生装置が接続可能としてあることを特徴とする。
【００１９】
請求項３に係る発明は、請求項１に係る液圧発生装置において、液圧発生装置の高圧ポンプの吐出側に第１の接続部材が接続され、低圧側よりフィルタを通し作動液体を昇圧する外部の液圧発生装置のポンプの吐出側には第２の接続部材が設けられ、前記第１の接続部材及び第２の接続部材は、それぞれケース内に設げられたシート部に対してばねにより圧接方向に付勢されているバルブを有し、上記第１及び第２の接続部材のケースを互いに液密的に接続可能とした液圧継手であり、
上記両接続部材の連結時においては両接続部材におけるバルブの弁粁が当接するとともに、第１の接続部材におけるバルブが閉じたままで、第２の接続部材におけるバルブがシート部から離れるように、第１の接続部材のばねが第２の接続部材のばねより強くされている液圧継手を用いたことを特徴とする。
【００２０】
請求項４に係る発明は、請求項１に係る液圧発生装置において、液圧発生装置の高圧ポンプの吐出側に第１の接続部材が接続され、低圧側よりフィルタを通し作動液体を昇圧する外部の液圧発生装置のポンプの吐出側には第２の接続部材が設けられ、前記第１の接続部材及び第２の接続部材は、それぞれケース内に設けられたシート部に対してばねにより圧接方向に付勢されているバルブを有し、上記第１及び第２の接続部材のケースを互いに液密的に接続可能とした液圧継手であり、
上記両接続部材の連結時においては両接続部材におけるバルブの弁秤が当接するとともに、第１の接続部材におけるバルブが閉じたままで、第２の接続部材におけるバルブがシート部から離れるように、第１の接続部材のばねが第２の接続部材のばねより強くされており、かつ第１の接続部材にはバルブの開度規制部が設けられており、第１の接続部材のバルブが開方向に移動し上記開度規制部に当接したときには第２の接続部材のバルブも開状態に保持されている液圧継手を用いたことを特徴とする。
【発明の効果】
【００２１】
本発明は上述のように構成したので、付着した異物の除去、或いは低減を行うことができ、フィルタの交換を低減することができる。
また、外部液圧発生装置との液圧継手を上記のように構成することにより、第１の接続部材側が高圧・低圧に係わらず、第１の接続部材と第２の接続部材の接続・離脱をすることが可能で、且つ、離脱時には作動液体が外部に流出することがなく、安全に液圧継手を離脱することができる。
【発明を実施するための最良の形態】
【００２２】
以下、図１〜図４を参照して、本発明に関する２つの参考例および１つの実施形態について説明する。なお、図中図５と同一部分については同一符号を付しその詳細な説明は省略する。
【００２３】
第１参考例
図１は、本発明の液圧発生装置に関する第１参考例を示す図であり、液圧発生装置１は、ギヤポンプ２及び高圧ポンプ３により２段階に液体を加圧し、ギヤポンプ２の吐出を多くすることで高圧ポンプ３の吸込みを補助するするように構成されている。上記高圧ポンプ３にはその高圧ポンプ３により加圧された作動液体によって作動されるアクチュエータ６が連結されており、また、上記高圧ポンプ３の吐出側にはアキュムレータ７が接続されている。上記ギヤポンプ２の吸い込み側には第１のフィルタ５が設けられ、さらに上記ギヤポンプ２と高圧ポンプ３との間にはリリーフ弁８が接続されている。一方、アクチュエータ６側の高圧部から低圧液槽４に連通する流路９には戻り弁１０が設けられており、アクチュエータ６側の低圧部は導管６ａにより低圧液槽４に連通されている。
【００２４】
上記構成は従来のものと同一であるが、本発明に於いては、ギヤポンプ２が正・逆回転可能としてあり、その正・逆回転で吐出口が反転するように構成されている。また、前記リリーフ弁８より低圧液層４側に第２のフィルタ３５が設けられているとともに、上記リリーフ弁８と並列に前記第２のフィルタ３５からギヤポンプ２に向かう流れのみを通過させる逆止弁３６が設けられている。そして、第１のフィルタ５とギヤポンプ２との間には第１の圧力センサ３７が設けられ、第２のフィルタ３５と逆止弁３６間には第２の圧力センサ３８が設けられている。
【００２５】
また、高圧ポンプ３とアクチュエータ６間には、液圧継手の第１の接続部材４１が外部液圧発生装置１２における第２の接続部材５１と接続・固定可能に設けられている。
【００２６】
図２は、上記第１の接続部材４１及び第２の接続部材５１からなる液圧継手を示す図であって、第１の接続部材４１のケース４２内にはバルブ４３が軸線方向に移動可能に設けられている。そのバルブ４３はばね４４によりシート部４５に対して圧接方向にケース４２の開口側に向かって付勢されており、常時においては上記バルブ４３は閉状態にあり、液体が上記第１の接続部材４１のケース４２から流出しないように構成されている。また、ケース４２内にはバルブ４３の開度規制部４６が設けられており、バルブ４３が上記開度規制部４６に当接することにより所定の弁開度が維持されるようにしてある。
【００２７】
一方、第２の接続部材５１は第１の接続部材４１のケース４２を接続可能なケース５２を有しており、そのケース５２内にもバルブ５３が軸線方向に移動可能に設けられている。そのバルブ５３はばね５４によりシート部５５に対して圧接方向にケース５２の開口側に向かって付勢されており、常時においては上記バルブ５３は閉状態にあり、液体が上記第１の接続部材５１のケース５２から流出しないように構成されている。さらに、上記第２の接続部材５２には、上記第１の接続部材４１のケース４２の先端細径部４２ａを挿入固定するための凹部５２ａが設けられ、その凹部５２ａの内周部にパッキン５６が設けられている。
【００２８】
ここで、第１の接続部材４１と第２の接続部材５１を接続する場合は、まず、第１の接続部材４１におけるケース４２の先端細径部４２ａを第２の接続部材５１のケース５２の凹部５２ａ内に挿入し、パッキン５６を介して第１の接続部材４１と第２の接続部材５１とを液密的に固定する。この場合、図２（ｂ）に示すように、両ケース４２、５２が完全に挿入固定されるまでは、両バルブ４３、５３に互いに対向するように突設されている弁杆４３ａ、５３ａは当接することがなく、両バルブ４３、５３は閉状態にある。そこで、図２（ｃ）に示すように、両ケース４２、５２が完全に挿入固定されると、バルブ４３の弁杆４３ａとバルブ５３の弁杆５３ａが当接する。しかし、第１の接続部材４１のばね４４が第２の接続部材５１のばね５４より強くされているので、その力の差により第２の接続部材５１のバルブ５３のみが開いた状態となる。よって、アクチュエータ６側の圧力が高圧・低圧に係わらず、液圧継手の接続ができるとともに、離脱時に作動液体が流出することはない。
【００２９】
また、第１の接続部材４１と第２の接続部材５１を離脱する時には、ケース４２とケース５２がパッキン５６によりシールされた状態でバルブ５３がシート部５５に当接する構造となっている。
【００３０】
しかして、このように構成された液圧発生装置においては、ギヤポンプ２が正回転時には、ギヤポンプ２と高圧ポンプ３の両者によって加圧された作動液体がアクチュエータ６またはアキュムレータ７に供給される。それとともに、両ポンプの吐出量の差からギヤポンプ２と高圧ポンプ３間の圧力が上昇し、ある一定の圧力に達するとリリーフ弁８が動作し、第２のフィルタ３５を介して低圧液槽４へ高圧ポンプ３とギヤポンプ２の吐出量差に相当する流量分の作動液体が吹き出される。
【００３１】
また、ギヤポンプ２が逆回転する時には、ギヤポンプ２と逆止弁３６間が負圧になるため逆止弁３６が開き、第２のフィルタ３５を介して作動液体を吸込み、高圧ポンプ３がアクチュエータ６側へ作動液体を吐出する。また、ギヤポンプ２から吐出された作動液体は、第１のフィルタ５を介して低圧液槽４へ流入する。また、第１のフィルタ５または第２のフィルタ３５に異物が付着するとフィルタの液体透過能力が低下するためフィルタの吐出側は負圧になる。この圧力差を第１の圧力センサ３７または第２の圧力センサ３８が感知し、信号として外部に取り出す。また、戻り弁１０を開くと、第１のフィルタ５を介して低圧液槽４へ作動液体が戻され、アクチュエータ６側の圧力が降圧する。
【００３２】
また、第１の接続部材４２と第２の接続部材５２を接続・固定した場合、外部液圧発生装置１２の高圧ポンプ１４を動作させると、高圧ポンプ１４と第１の接続部材のバルブ４３間が高圧になり、バルブ４３が開いてアクチュエータ６側へ作動液体を吐出する。また、アクチュエータ６側の圧力が或る値に達するとリリーフ弁１６が動作し、低圧液槽４に作動液体を吹き出す。また、戻り弁１７を開けると、第１の接続部材４１のバルブ４３はシート部４５に当接しているため、アクチュエータ６側の圧力は維持されたまま、第１の接続部材４１と高圧ポンプ１４間の圧力は降圧する。したがって、戻り弁１７を開いた状態で、第１の接続部材４１と第２の接続部材５１は離脱可能であり、離脱時には、第１の接続部材４１と第２の接続部材５１からの作動液体の流出はない。
【００３３】
このように、本参考例によれば、ギヤポンプ２の回転方向を変えることで第１のフィルタ５または第２のフィルタ３５に付着した異物をギヤポンプ２の吐出またはリリーフ弁８の吹き出しにより除去することができる。
【００３４】
また、戻り弁１０を開くことにより第１のフィルタ５に付着した異物を除去することもできる。
【００３５】
また、第１の接続部材４１側が高圧・低圧に係わらず第２の接続部材５１を接続・固定することが可能で、かつ、高圧ポンプ１４によりアクチュエータ６側の昇圧ができる。また、戻り弁１７を開くとアクチュエータ６側の圧力は維持したまま第１の接続部材４１と高圧ポンプ１４間の圧力を降下でき、安全に、かつ作動液体の流出なしに第１の接続部材４１と第２の接続部材５１を離脱できる。
【００３６】
また、第１の圧力センサ３７または第２の圧力センサ３８の信号を利用してギヤポンプ２の回転方向を適正に制御できるため、吐出不能を回避できるとともに第１のフィルタ５または第２のフィルタ３５の異物を除去することができる。
【００３７】
第２参考例
図３は、本発明に関する第２参考例を示す図であり、ギヤポンプ２と第１のフィルタ５間に、第１のフィルタ５側からの流れのみを通過させる第２の逆止弁６１とギヤポンプ２側から第１のフィルタ５側へ吹き出すリリーフ弁６２の並列回路が設けられている。また、高圧ポンプ３の吸い込み側には高圧ポンプ３方向への流れのみを通過させる第３の逆止弁６３が設けられ、ギヤポンプ２と第２の逆止弁６１との間を第３の逆止弁６３と高圧ポンプ３との間に接続する配管６４には、高圧ポンプ３側への流れのみを通過させる第４の逆止弁６５が設けられている。
【００３８】
しかして、ギヤポンプ２が正回転時には、ギヤポンプ２と高圧ポンプ３の吐出量の差からギヤポンプ２と高圧ポンプ３間の圧力が上昇し、ある一定の圧力に達するとリリーフ弁８が動作し、第２のフィルタ３５を介して低圧液槽４へ高圧ポンプ３とギヤポンプ２の吐出量差に相当する流量分の作動液体が排出される。
【００３９】
また、ギヤポンプ２が逆回転時にはギヤポンプ２と逆止弁３６間が負圧になるため逆止弁３６が開き、第２のフィルタ３５を介して作動液体を吸込む。第３の逆止弁６３はギヤポンプ２と高圧ポンプ３の吐出量の差から閉じており、ギヤポンプ２から吐出した作動液体は第４の逆止弁６５を介して高圧ポンプ３へ流れアクチュエータ６側へ吐出する。ここで、ギヤポンプ２と高圧ポンプ３の吐出量の差からギヤポンプ２と第４の逆止弁６５を介する高圧ポンプ３間の圧力が上昇し、ある一定の圧力に達するとリリーフ弁６２が動作し、第１のフィルタ５を介して低圧液槽４へ高圧ポンプ３とギヤポンプ２の吐出量差に相当する流量分の作動液体を吹き出す。
【００４０】
このように、本参考例によれば、ギヤポンプ２の回転方向を変えることで第１のフィルタ５または第２のフィルタ３５に付着した異物をリリーフ弁６２またはリリーフ弁８の吹き出しにより除去することができる。
【００４１】
また、正・逆回転ともギヤポンプ２を介した高圧ポンプ３への流れとなるため、正・逆回転ともギヤポンプ２の補助機能を維持することができる。
【００４２】
本発明の一実施形態
図４は、本発明に係わる液圧発生装置の一実施形態を示す図であって、本実施形態においては、図５に示す液圧発生装置におけるリリーフ弁８の吐出側が第１のフィルタ５とギヤポンプ２との間に接続されている。
【００４３】
しかして、ギヤポンプ２を回転させると、低圧液槽４からフィルタ５を介して作動液体を吸込み昇圧して吐出する。ギヤポンプ２により昇圧された作動液体は、高圧ポンプ３により更に高圧に昇圧されアクチュエータ６側に吐出されアキュムレータ７により蓄圧される。すなわち、ギヤポンプ２の回転時には、ギヤポンプ２と高圧ポンプ３の吐出量の差からギヤポンプ２と高圧ポンプ３間の圧力が上昇し、或る一定の圧力に達するとリリーフ弁８が動作し、フィルタ５とギヤポンプ２間に吹き出す。吹き出した作動液体は再びギヤポンプ２により昇圧される。
【００４４】
本実施形態によれば、リリーフ弁８から吹き出した作動液体を再びギヤポンプ２に戻せるため、フィルタ５の吸込みを抑制し、フィルタ５に付着する異物を低減することができる。なお、第２参考例及び本実施形態においては、外部液圧発生装置との接続部を省略したが、第１参考例と同様に液圧継手を設けてもよいことは勿論である。
【図面の簡単な説明】
【００４５】
【図１】本発明に関する第１参考例の液圧発生装置の構成を示す図。
【図２】（ａ）（ｂ）（ｃ）（ｄ）は本発明の第１の実施の形態における液圧継手の構成、及びその作動状態を示す図。
【図３】本発明の第２参考例の液圧発生装置の構成を示す図。
【図４】本発明の１実施形態の液圧発生装置の構成を示す図。
【図５】従来の液圧発生装置の構成を示す図。
【図６】（ａ）（ｂ）（ｃ）は、従来の液圧継手の構成及び作動状態を示す図。
【図７】（ａ）（ｂ）（ｃ）は、従来の液圧継手の他の例及び作動状態を示す図。
【符号の説明】
【００４６】
１  液圧発生装置
２  ギヤポンプ
３  高圧ポンプ
４  低圧液槽
５  フィルタ
６  アクチュエータ
７  アキュムレータ
８、１６  リリーフ弁
１０、１７  戻り弁
１１、４１  第１の接続部材
１２  外部液圧発生装置
１３、５１  第２の接続部材
１４  高圧ポンプ
１５  フィルタ
３５  第２のフィルタ
３６  逆止弁
３７  第１の圧力センサ
３８  第２の圧力センサ
４２、５２  ケース
４３、５３  バルブ
４４、５４  ばね
４５、５５  シート部
４６  開度規制部
６１  第２の逆止弁
６２  リリーフ弁
６３  第３の逆止弁
６５  第４の逆止弁
【図１】
2007178004.tif 000003
【図２】
2007178004.tif 000004
【図３】
2007178004.tif 000005
【図４】
2007178004.tif 000006
【図５】
2007178004.tif 000007
【図６】
2007178004.tif 000008
【図７】
2007178004.tif 000009